(57)【要約】    【課題】  ケースへの部品組み付けの作業性を向上したテレビドアホン親機およびこれを備えたテレビドアホンを提供する。    【解決手段】  テレビドアホン親機は、前面ケース1aおよび背面ケース1bを含んで形成されたケース1と、子機のカメラから送信された映像を表示するモニタ2と、制御回路を実装した制御基板4と、スピーカ5、マイクロホン6および操作部を含みケースに配設された内蔵部品と、前面ケースの背面側に配設されたモニタ保護シート10pと、前記前面ケースの背面側に取付けられ、支持縁を有するモニタ収納部3aを備えていて、モニタ収納部内にモニタを収納し、かつモニタの前面側の周縁部を支持縁で支承して支持するとともに背面側に制御基板を装着しており、モニタ保護シートとモニタ前面との間にモニタ収納部の支持縁により間隙が形成されている中板とを具備している。【選択図】図１
2010021688.tif 000002
【特許請求の範囲】
【請求項１】
前面ケースおよび背面ケースを含んで形成されたケースと；
子機のカメラから送信された映像を表示するモニタと；
制御回路を実装した制御基板と；
スピーカ、マイクロホンおよび操作部を含みケースに配設された内蔵部品と；
前面ケースの背面側に配設されたモニタ保護シートと；
前記前面ケースの背面側に取付けられ、支持縁を有するモニタ収納部を備えていて、モニタ収納部内にモニタを収納し、かつモニタの前面側の周縁部を支持縁で支承して支持するとともに背面側に制御基板を装着しており、モニタ保護シートとモニタ前面との間にモニタ収納部の支持縁により間隙を形成している中板と；
を具備していることを特徴とするテレビドアホン親機。
【請求項２】
前記中板は、制御基板を背面側に装着しているとともに、操作部の操作片および可動片を一体成形により形成していることを特徴とする請求項１記載のテレビドアホン親機。
【請求項３】
カメラ付き子機と；
子機から送信された映像を表示し、かつ子機との間で通話を行う請求項１または２記載のテレビドアホン親機と；
を具備していることを特徴とするテレビドアホン。
【発明の詳細な説明】
【技術分野】
【０００１】
本発明は、改良したテレビドアホン親機およびこれを備えたテレビドアホンに関する。
【背景技術】
【０００２】
テレビドアホンシステムにおける親機には、子機側の映像を表示するモニタ、モニタの前面側に配置されてモニタを保護するモニタ保護シート、制御基板、スピーカ、マイクロホンおよび操作部が配設されている。
【０００３】
従来のテレビドアホン親機は、例えばケースが前面ケースおよび背面ケースからなり、制御基板、スピーカ、マイクロホン、モニタ、モニタ保護シートおよび操作部品が内蔵される。例えば、モニタ、モニタ保護シートおよび制御基板の装着において、モニタおよび制御基板は、前面ケースの裏面側に装着されている。モニタ保護シートは、前面ケースの表面側から装着されているものが多い。
【発明の開示】
【発明が解決しようとする課題】
【０００４】
テレビドアホン親機の製造工程上、部品装着が前面ケースの表裏両面で行われると、前面ケースの表面側に装着するときと背面側に装着するときとで前面ケースを反転させるので、工数が増加するために作業効率が低下する。
【０００５】
また、モニタ保護シートがモニタに密着すると、不所望な光学縞が発生して画像の見え方が低下するため、モニタの表面とモニタ保護シートとの間に一定の隙間を形成するために上記のように装着しているのが主であるが、モニタ保護シートを装着するのに接着する必要があるので、別工程で粘着剤を塗布しなければならないため、作業効率が一層低下してしまう。
【０００６】
さらに、モニタを前面ケースの裏面で装着するために前面パネルの裏面にボスやリブを形成すると、前面側にひけなどが発生して外観品質の低下につながる。
【０００７】
本発明は、ケースへの部品組み付けの作業性を向上したテレビドアホン親機およびこれを備えたテレビドアホンを提供することを目的とする。
【課題を解決するための手段】
【０００８】
本発明のテレビドアホン親機は、前面ケースおよび背面ケースを含んで形成されたケースと；子機のカメラから送信された映像を表示するモニタと；制御回路を実装した制御基板と；スピーカ、マイクロホンおよび操作部を含みケースに配設された内蔵部品と；前面ケースの背面側に配設されたモニタ保護シートと；前記前面ケースの背面側に取付けられ、支持縁を有するモニタ収納部を備えていて、モニタ収納部内にモニタを収納し、かつモニタの前面側の周縁部を支持縁で支承して支持するとともに背面側に制御基板を装着しており、モニタ保護シートとモニタ前面との間にモニタ収納部の支持縁により間隙が形成されている中板と；を具備していることを特徴としている。
【０００９】
本発明は以下の態様を許容する。
【００１０】
テレビドアホン親機と子機との間の通信は、それらの間を所定の伝送手段、例えば無極性２線の伝送線などで結んで行うが、ハンズフリー方式およびプレストーク方式などのいずれか一方または両方を切り換えて行う通話方式によって行うのでもよい。したがって、本発明において、通信方式は特段限定されない。また、映像信号の通信方式も特段限定されない。
【００１１】
テレビドアホン親機のケースは、前面ケースおよび背面ケースを含んで構成されるが、好ましくはプラスチックスなどの絶縁性材料により成形して形成される。また、後述する中板がケースの胴部の一部を構成していてもよい。前面ケースは、テレビドアホン親機の前面を構成し、家人がモニタを見ながら子機の来訪者と通話するなどの操作を行うことができるように構成される。背面ケースには、電源を導入したり親機を壁面に取付けたりするなどの機能を付与することができる。
【００１２】
モニタは、子機の一般的には前方の所定範囲を撮影範囲として来訪者を撮影可能に構成している場合に、テレビドアホン親機に子機から送信された映像を表示する映像モニタである。例えば、液晶モニタなどの薄形で、コンパクトな表示手段が好適である。
【００１３】
制御基板は、テレビドアホン親機側の各種回路を実装している配線基板である。各種回路としては、例えば伝送手段との間に介在する親機インターフェイス、映像処理回路、モニタ駆動回路、通話回路、通話ボタン回路、以上の各回路を関連的に制御する制御回路および各回路に電源を供給する電源回路などを実装している。なお、モニタ駆動回路は、制御回路から制御されてモニタを駆動して、子機側で撮影され伝送手段を経由して親機に伝送され、映像処理回路により得た映像を表示する。通話回路は、親機インターフェイスおよび伝送手段を介して子機に接続してテレビドアホン親機−子機間の通話を司る。
【００１４】
内蔵部品は、スピーカ、マイクロホンおよび操作部を含むが、所望によりその他の部品を含むことができ、テレビドアホン親機のケースに配設される。スピーカは、子機からの通話をテレビドアホン親機側で拡声して聞き取るための電−音変換手段である。マイクロホンは、テレビドアホン親機から子機に対して通話する際に作用する音−電変換手段である。スピーカおよびマイクロホンは、通話回路に接続する。操作部は、通話ボタンなどのテレビドアホン親機側で操作される部品である。なお、操作部のうち通話ボタンは、テレビドアホン親機側から子機側へ通話するときに操作される。
【００１５】
モニタ保護シートは、前面ケースの背面側に配設される。なお、所望によりモニタ保護シートを配置する位置において、枠部を前面ケースと一体に背面側へ突出形成することにより、モニタ保護シートを枠部の内部に落とし込んで装着することができるので、モニタ保護シートの組立て作業を容易にすることができる。
【００１６】
中板は、モニタおよび制御基板を支持し、ケース内に定置される。ケース内に定置するために、ケースと共締めまたはケースの構成部品、例えば前面ケースに予め固定するように構成することができる。なお、中板は、好ましくはプラスチックスなどの絶縁性材料を成形して形成される。
【００１７】
また、中板は、そのモニタ収納部内にモニタを収納して支持する。このときの支持は、モニタの前面側の周縁部がモニタ収納部の支持縁により支承されることで行われる。なお、支持縁は、モニタの前面側の周縁部のうち、少なくとも対向する２辺、好ましくは３辺のほぼ全体または一部分を支持するように形成することができる。例えば、上記周縁部の一部を支承するようにモニタ収納部の支持縁を爪状に形成することができる。
【００１８】
モニタ保護シートを前面ケースの背面に配設してから前面ケースと中板を組み立てることにより、モニタ保護シートとモニタ前面との間にはモニタ収納部の支持縁が介在して支持縁の厚みに相当する間隙が形成されるので、支持縁をモニタ保護シートとモニタ前面との間のスペーサとして機能させることができる。さらに、モニタ保護シートの背面側にモニタ収納部の支持縁の外面を当接させることができるので、モニタ保護シートを接着することなしに前面ケースの所定位置に固定することができる。しかし、所望によりモニタ保護シートを前面ケースの背面に粘着剤などを用いて接着することも許容される。
【００１９】
したがって、本発明においては、モニタ保護シートとモニタの前面との間に上記支持縁が介在してモニタ保護シートとモニタの間のスペーサとして作用させることができる。
【００２０】
さらに、モニタは、中板の板面に沿ってスライドさせてモニタ収納部内に導入したり、中板の背面側から落とし込んで収納したりするようにモニタ収納部を構成することができる。
【００２１】
一方、中板の背面側に制御基板を装着するには、中板の背面に制御基板を添わせて中板にビス止めなどの固着手段を用いて固着することができる。なお、前面ケース、中板、制御基板および背面ケースをビスなどの固着具を用いて前述のように共締めにより固定すれば、固着具の使用数を低減して組立ての工数および部品点数を低減することができる。また、中板を介してモニタと制御基板を一体化できるので、モニタと制御基板との間の配線を制御基板の背面側で行うことができ、その作業が容易になる。
【００２２】
そうして、モニタ保護シートとモニタの前面との間にモニタ収納部の支持縁が介在することで両者の間に所要の間隙が確実に形成されるので、両社が不所望に密着するようなことがなくなる。また、モニタ保護シートの組立てを前面ケースの背面側からの作業で行うことができ、作業性が向上する。
【００２３】
次に、操作部の操作片および可動片を中板に一体成形により形成する本発明の一態様について説明する。操作部は、例えば通話ボタン、切換ボタンなどであり、操作されたときにスイッチ動作を行って通話回路などを所望に切り換える。また、可動部品は、例えばモニタボタン、プレストークボタンや表示ランプなどの部品であって、これらを前面ケースに形成した所定の孔に前方への押圧力を作用させながら可動に装着しておきたいときに、可動片に上記部品を装着することで可動部品化することができる。
【００２４】
操作片および可動片を中板と一体に成形するには、可とう性を有するプラスチックス材料を用いて中板の成形時に操作片のヒンジ部や可動片のばね性付与部分を一体に形成すればよい。
【発明の効果】
【００２５】
本発明によれば、制御基板を背面側に装着するとともにモニタの前面側の周縁部を支承して支持する支持縁を有するモニタ収納部を備えた中板を具備していることにより、制御基板の組立て性が向上するとともに、前面ケースの裏面にボスやリブなどの突起物を一体成形する必要がないから、成形時のひけなどの外観不良が発生しなくなり、ケース外観品質の向上を図ったテレビドアホン親機およびこれを備えたテレビドアホンを提供することができる。
【００２６】
また、テレビドアホン親機の前面ケースへのモニタ保護シートの装着を前面ケースの背面側から行い、かつモニタ表面とモニタ保護シートとの間に中板のモニタ収納部の支持縁が介在して所要の間隙を形成するので、モニタ表面にモニタ保護シートが密着するのを防止して、モニタの適正な見え方を確保できる。
【００２７】
さらに、テレビドアホン親機の組立て作業の多くを前面ケースの背面側で行うことができ、組立ての作業性が良好になる。
【００２８】
さらにまた、テレビドアホン親機の制御基板を背面側に装着する中板を配設する態様によれば、制御基板の組立性が向上するとともに、操作片および可動片を中板と一体に成形することにより、金型製作数が低減し、部品管理が容易になり、かつ組立て作業性が向上する。
【発明を実施するための最良の形態】
【００２９】
以下、図面を参照して本発明を実施するための形態を説明する。
【００３０】
図１ないし図４は、本発明のテレビドアホン親機およびこれを備えたテレビドアホンを実施するための一形態を示し、図１はテレビドアホン親機を前方斜め上から見た分解斜視図、図２は同じく後方斜め上から見た分解斜視図、図３は同じく前面ケースのモニタ部分の断面図、図４は図３の円で囲んだＢ部分の拡大断面図である。なお、本発明の構成を理解するうえで子機は、特段詳細に示す必要がないため、図示を省略している。
【００３１】
本形態において、テレビドアホン親機は、ケース１、モニタ２、中板３、制御基板４、スピーカ５、マイクロホン６、プレストークボタン７、モニタボタン８、表示ランプ９、モニタ保護シート１０および図示しない切換ボタンを主要な構成部品として構成されている。
【００３２】
ケース１は、前面ケース１ａおよび背面ケース１ｂを抱き合わせて２つ割り構造の縦長四角形の略弁当箱状をなしている。前面ケース１ａは、上部からモニタ表示窓１１、マイクロホン集音孔１２、表示ランプ孔１３、切換ボタン孔１４、通話ボタン孔１５、スピーカ放音孔１６、プレストークボタン孔１７およびモニタボタン孔１８が形成されている。また、前面ケース１の背面側にはモニタ表示窓１１の周囲にモニタ保護シート収納枠部１ａ１が突出して一体成形されている。
【００３３】
背面ケース１ｂは、ケース１の背面側を構成して電源導入、取り付けなどの機能が付与される。
【００３４】
モニタ２は、液晶表示ユニットからなり、後述する中板３に形成したモニタ収納部３ａに収納されることで所定位置に配設され、また後述する制御基板４に配線されている。
【００３５】
中板３は、前面ケース１の背面部内に収容され、ケース１と図示しないビスで共締めによりケース１内の所定位置に固定されている。また、中板３は、モニタ収納部３ａ、操作片３ｂ、可動片３ｃを一体成形により形成して備えている。
【００３６】
モニタ収納部３ａは、図１において、上方からモニタ２を中板３の板面に沿ってスライドさせて収納するように構成されており、両側面部および底面部にそれぞれ支持縁３ａ１、３ａ２、３ａ３、背面板部３ａ４および脱落防止爪３ａ５を備えている。支持縁３ａ１、３ａ２、３ａ３は、モニタ２の周縁のうち両側辺および底辺の３辺の前面側を支持する。背面板部３ａ４は、モニタ２の背面に当接して背面側を支持する。脱落防止爪３ａ５は、いったんスライドして収納したモニタ２が不所望に中板３の所定位置から移動ないし脱落するのを阻止するようにモニタ２の上側縁部に当接する。なお、モニタ収納部３ａに連続して配線溝３ａ６が形成され、モニタ２と制御基板４との間の配線をガイドしている。
【００３７】
操作片３ｂは、第１ないし第４の操作片３ｂ１、３ｂ２、３ｂ３、３ｂ４からなる。第１ないし第３の操作片３ｂ１〜３ｂ３は、３個の切換ボタンスイッチ（図示しない。）の操作ボタンを構成し、前面ケース１ａの切換ボタン孔１４内に配置されている。第４の操作片３ｂ４は、通話ボタンの操作ボタンを構成し、前面ケース１ａの通話ボタン孔１５内に配置されている。
【００３８】
可動片３ｃは、プレストークボタン７の可動座３ｃ１、モニタボタン８の可動座３ｃ２および表示ランプ９の可動座３ｃ３を構成する。なお、モニタボタン８および表示ランプ９は、前面ケース１ａのモニタボタン孔１５内に配置されている。
【００３９】
制御基板４は、親機側の既述の各種回路を実装している配線基板であり、中板３の背面に添設され、ケース１および中板３とビスで共締めによりケース内の所定位置に固定されている。
【００４０】
スピーカ５は、前面ケース１ａ左下側に位置して背面側に設けられたスピーカ取付座１ｃにビス止めされ、図示しないリード線で制御基板４に接続する。
【００４１】
マイクロホン６は、前面ケース１ａ右上下側に位置して形成されたマイクロホン孔１５に対向するように中板３に形成された凹窪部３ｄ内に接着され、図示しないリード線で制御基板４に接続する。
【００４２】
プレストークボタン７は、押しボタンスイッチで構成されていて、押圧操作時にプレストーク方式で通話することができ、前面ケース１ａのプレストークボタン孔１７内に前後方向に可動に嵌合するように中板３に一体成形された可動座３ｃ１の前面に前後方向に可動に装着され、前面ケース１ａのプレストークボタン孔１７内に配置されている。
【００４３】
モニタボタン８は、押しボタンスイッチで構成されていて、押圧操作時にモニタ２を作動させることができ、前面ケース１ａのモニタボタン孔１８内に前後方向に可動に嵌合するように中板３に一体成形された可動座３ｃ２の前面に装着されている。
【００４４】
表示ランプ９は、例えば発光ダイオードを光源として構成され、前面ケース１ａの表示ランプ孔１３内に前後方向に可動に嵌合するように中板３に一体成形された可動座３ｃ２の前面に装着されている。
【００４５】
モニタ保護シート１０は、前面ケース１ａ背面のモニタ保護シート収納枠部１ａ１内に落とし込みにより組み込むことができる。
【００４６】
このように、中板３にモニタ２、制御基板４、操作部を集中的に設けたので、前面ケース１ａの背面側からモニタ保護シート１０、中板３、背面ケース１ｂの順に取付けるだけで組立てが完了する。このため、組立て工程において、前面ケース１ａの向きを変える必要がなく、作業効率が向上するとともに、工数を減らすことができる。
【００４７】
さらに、このように全ての部材を前面ケース１ａの背面側から取付ける構造において、中板３に設けたモニタ２を支持する支持縁３ａ１、３ａ２、３ａ３がモニタ２とモニタ保護シート１０との間に間隙を作り出すため、モニタ２とモニタ保護シート１０との間にシートなどの別部材を配設する必要がない。また、モニタ保護シート１０とモニタ２の間隙を確保することができるため、両者を近接して配置できるので、テレビドアホン親機を薄形化することができるという効果もある。
【図面の簡単な説明】
【００４８】
【図１】本発明のテレビドアホン親機およびテレビドアホンを実施するための一形態おけるテレビドアホン親機を前方斜め上から見た分解斜視図
【図２】同じく後方斜め上から見た分解斜視図
【図３】同じくモニタ部分で断面した断面図
【図４】円で囲んだＢ部分の拡大断面図
【符号の説明】
【００４９】
１…ケース、１ａ…前面ケース、１ａ１…モニタ保護シート収納枠部、１ｂ…背面ケース、２…モニタ、３…中板、３ａ…モニタ収納部、３ａ１、３ａ２、３ａ３…支持縁、３ａ４…背面板部、３ａ５…脱落防止爪、３ａ６…配線溝、３ｂ…操作片、第１ないし第４の操作片３ｂ１…第１の操作片、３ｂ２…第２の操作片、３ｂ３…第３の操作片、３ｂ４…第４の操作片、３ｃ…可動片、３ｃ１…プレストークボタンの可動座、３ｃ２モニタボタンの可動座、３ｃ３…表示ランプの可動座、３ｄ…凹窪部、４…制御基板、５…スピーカ、６…マイクロホン、７…プレストークボタン、８…モニタボタン、９…表示ランプ、１０…モニタ保護シート、１１…モニタ表示窓、１２…マイクロホン集音孔、１３…表示ランプ孔、１４…切換ボタン孔、１５…通話ボタン孔、１６…スピーカ放音孔、１７…プレストークボタン孔、１８…モニタボタン孔
【図１】
2010021688.tif 000003
【図２】
2010021688.tif 000004
【図３】
2010021688.tif 000005
【図４】
2010021688.tif 000006